(57)【要約】【課題】設置面にて有利な構成にて回収タンクからのオーバーフロー水を処理することができる発電システムを提供する。【解決手段】燃料ガスを水素成分が多い改質ガスに水蒸気改質処理する改質処理部２、３及び当該改質処理部２、３から供給される改質ガスにて発電する燃料電池５を備える発電部Ｍと、発電部Ｍから排出される排ガスから凝縮水を回収して回収タンクＤに貯留する凝縮水回収部Ｑと、回収タンクＤに回収された凝縮水を改質用水蒸気の生成のために改質処理部２、３に供給する凝縮水搬送部１８と、が設けられ、回収タンクＤからのオーバーフロー水を気化風により気化処理する気化処理部Ｆが設けられている。【選択図】図１
2020119668.tif 000002
【特許請求の範囲】
【請求項１】
燃料ガスを水素成分が多い改質ガスに水蒸気改質処理する改質処理部及び当該改質処理部から供給される前記改質ガスにて発電する燃料電池を備える発電部と、
前記発電部から排出される排ガスから凝縮水を回収して回収タンクに貯留する凝縮水回収部と、
前記回収タンクに回収された凝縮水を改質用水蒸気の生成のために前記改質処理部に供給する凝縮水搬送部と、が設けられた発電システムであって、
前記回収タンクからのオーバーフロー水を気化風により気化処理する気化処理部が設けられている発電システム。
【請求項２】
前記凝縮水回収部が、前記排ガスと貯湯タンクから循環供給される湯水とを熱交換する排熱回収熱交換器を備える構成であり、
前記貯湯タンクから前記排熱回収熱交換器に供給される湯水が通流するフィン付熱交換部及び当該フィン付熱交換部に冷却風を送風する冷却ファンを備える湯水冷却ラジエータが設けられ、
前記気化処理部が、前記オーバーフロー水を滴下部より前記フィン付熱交換部に滴下して、滴下した前記オーバーフロー水を前記気化風としての前記冷却ファンの冷却風により気化処理するように構成されている請求項１に記載の発電システム。
【請求項３】
前記凝縮水回収部が、前記排ガスと貯湯タンクから循環供給される湯水とを熱交換する排熱回収熱交換器を備える構成であり、
前記貯湯タンクから前記排熱回収熱交換器に供給される湯水が通流するフィン付熱交換部及び当該フィン付熱交換部に冷却風を送風する冷却ファンを備える湯水冷却ラジエータが設けられ、
前記気化処理部が、前記オーバーフロー水をドレンパンに流動させ、かつ、前記湯水冷却ラジエータからの排風を前記気化風として前記ドレンパンに向けて流動させることにより気化処理するように構成されている請求項１に記載の発電システム。
【請求項４】
前記冷却ファンが、前記フィン付熱交換部を通過する冷却風を吸引により生成する吸引式冷却ファンである請求項３に記載の発電システム。
【請求項５】
前記気化処理部が、前記オーバーフロー水をドレンパンに流動させ、かつ、前記凝縮水回収部にて前記凝縮水が回収された後の前記排ガスを前記気化風として前記ドレンパンに向けて流動させることにより気化処理するように構成されている請求項１に記載の発電システム。
【請求項６】
前記発電部、前記凝縮水回収部、及び、前記凝縮水搬送部を収納する筐体に、換気用吸気口及び換気用排気口が形成され、
前記筐体の内部に、当該筐体の内部の空気を吸引して前記換気用排気口を通して排出する換気用ファンが設けられ、
前記気化処理部が、前記オーバーフロー水をドレンパンに流動させ、かつ、前記換気用ファンからの排風を前記気化風として前記ドレンパンに向けて流動させることにより気化処理するように構成されている請求項１に記載の発電システム。
【発明の詳細な説明】
【技術分野】
【０００１】
本発明は、燃料ガスを水素成分が多い改質ガスに水蒸気改質処理する改質処理部及び当該改質処理部から供給される前記改質ガスにて発電する燃料電池を備える発電部と、
前記発電部から排出される排ガスから凝縮水を回収して回収タンクに貯留する凝縮水回収部と、
前記回収タンクに回収された凝縮水を改質用水蒸気の生成のために前記改質処理部に供給する凝縮水搬送部と、が設けられた発電システムに関する。
【背景技術】
【０００２】
かかる発電システムは、都市ガス等の燃料ガスを水蒸気改質処理して生成された水素成分が多い改質ガスを燃料電池に供給して発電することにより、一般家庭や医療施設等において、分散型電源として利用されることになり、また、発電部から排出される排ガスから凝縮水を回収して回収タンクに貯留し、回収タンクに回収された凝縮水を改質用水蒸気の生成のために改質処理部に供給することにより、外部からの水補給を少なくする状態で水蒸気改質処理を行えるようにしたものである（例えば、特許文献１参照。）。
【０００３】
ちなみに、特許文献１の発電システムにおいては、潜熱回収式熱源機からのドレン水を回収タンクに供給して、外部からの水補給を極力少なくすることが記載されている。
【０００４】
また、特許文献１の発電システムにおいては、燃料電池として、固体酸化物形の燃料電池（ＳＯＦＣ）を備える場合が例示されているが、燃料電池として、固体高分子形の燃料電池を備える場合もある。
そして、固体高分子形の燃料電池を備える場合においては、排ガスから回収した凝縮水に加えて、改質ガスから回収した凝縮水をも回収タンクに貯留する場合や、回収タンクに貯留された凝縮水を、燃料電池のセル加湿用の水として使用する場合もある。
【先行技術文献】
【特許文献】
【０００５】
【特許文献１】特許第５５９３８０８号公報
【発明の概要】
【発明が解決しようとする課題】
【０００６】
回収タンクは、設定量以上の凝縮水が貯留されたときには、凝縮水をオーバーフロー水として排出させるように構成されており、そのため、一般には、オーバーフロー水を回収する排水升を設置し、当該排水升から凝縮水を排出する排水路を形成することになる。
【０００７】
従って、従来では、排水升を設置し、排水升から凝縮水を排出する排水路を形成して、回収タンクからのオーバーフロー水を処理することになるため、排水升の設置や排水路の形成に起因して、発電システムの設置が煩雑になる不都合があり、改善が望まれている。
【０００８】
本発明は、上記実状に鑑みて為されたものであって、その目的は、設置面にて有利な構成にて回収タンクからのオーバーフロー水を処理することができる発電システムを提供する点にある。
【課題を解決するための手段】
【０００９】
本発明の発電システムは、燃料ガスを水素成分が多い改質ガスに水蒸気改質処理する改質処理部及び当該改質処理部から供給される前記改質ガスにて発電する燃料電池を備える発電部と、
前記発電部から排出される排ガスから凝縮水を回収して回収タンクに貯留する凝縮水回収部と、
前記回収タンクに回収された凝縮水を改質用水蒸気の生成のために前記改質処理部に供給する凝縮水搬送部と、が設けられたものであって、その特徴構成は、
前記回収タンクからのオーバーフロー水を気化風により気化処理する気化処理部が設けられている点にある。
【００１０】
すなわち、回収タンクからのオーバーフロー水が、気化処理部において、気化風により気化処理されることになる。
つまり、例えば、オーバーフロー水をドレンパン等の蒸発箇所に流動させ、気化風を蒸発箇所に向けて送風させることにより、オーバーフロー水を気化処理する等、回収タンクからのオーバーフロー水を気化風により気化処理させることになる。
【００１１】
そして、オーバーフロー水を気化処理するために、気化風を送風する送風機を設けるにしても、その送風機を設けることは、発電システムに予め組付けられたものを用いる等の形態で容易に行えるものであるから、回収タンクからのオーバーフロー水を処理するための構成が、発電システムの設置を煩雑にすることがない。
【００１２】
要するに、本発明の発電システムの特徴構成によれば、設置面にて有利な構成にて回収タンクからのオーバーフロー水を処理することができる。
【００１３】
本発明の発電システムの更なる特徴構成は、前記凝縮水回収部が、前記排ガスと貯湯タンクから循環供給される湯水とを熱交換する排熱回収熱交換器を備える構成であり、
前記貯湯タンクから前記排熱回収熱交換器に供給される湯水が通流するフィン付熱交換部及び当該フィン付熱交換部に冷却風を送風する冷却ファンを備える湯水冷却ラジエータが設けられ、
前記気化処理部が、前記オーバーフロー水を滴下部より前記フィン付熱交換部に滴下して、滴下した前記オーバーフロー水を前記気化風としての前記冷却ファンの冷却風により気化処理するように構成されている点にある。
【００１４】
すなわち、排ガスの熱が排熱回収熱交換器での熱交換により貯湯タンクの湯水に供給されて、貯湯タンクの湯水を加熱することができるから、貯湯タンクに貯湯された湯水を、湯張等の給湯に良好に使用することができる。
つまり、排ガスの熱にて貯湯タンクの湯水を加熱して、加熱された湯水を湯水消費箇所に供給することができる。
【００１５】
しかも、貯湯タンクから排熱回収熱交換器に供給される湯水を湯水冷却ラジエータにて冷却することができるから、貯湯タンクから排熱回収熱交換器に供給される湯水が高温の場合においても、その高温の湯水を湯水冷却ラジエータにて冷却して低温にすることができるため、排熱回収熱交換器において低温の湯水にて排ガスを適切に冷却することができる結果、凝縮水を適切に生成することができる。
【００１６】
さらに、回収タンクからのオーバーフロー水を滴下部より、湯水冷却ラジエータにおけるフィン付熱交換部に滴下して、滴下したオーバーフロー水を、湯水冷却ラジエータにおける冷却ファンの冷却風を気化風として用いながら気化処理することができる。
このように、貯湯タンクから排熱回収熱交換器に供給される湯水を冷却するために設けた湯水冷却ラジエータを有効利用した構成にて、回収タンクからのオーバーフロー水を気化処理することができる。
【００１７】
ちなみに、回収タンクからのオーバーフロー水を滴下部より、湯水冷却ラジエータにおけるフィン付熱交換部に滴下すると、滴下したオーバーフロー水がフィン付熱交換部の表面を分散して流動して、気化し易い状態となるため、オーバーフロー水の気化処理を適切に行い易いものとなる。
【００１８】
要するに、本発明の発電システムの更なる特徴構成によれば、排ガスの熱を貯湯タンクの湯水に回収することができ、しかも、貯湯タンクから排熱回収熱交換器に供給される湯水を冷却するために設けた湯水冷却ラジエータを有効利用した構成にて、回収タンクからのオーバーフロー水を気化処理することができる。
【００１９】
本発明の発電システムの更なる特徴構成は、前記凝縮水回収部が、前記排ガスと貯湯タンクから循環供給される湯水とを熱交換する排熱回収熱交換器を備える構成であり、
前記貯湯タンクから前記排熱回収熱交換器に供給される湯水が通流するフィン付熱交換部及び当該フィン付熱交換部を通過する冷却風を吸引により生成する吸引式冷却ファンを備える湯水冷却ラジエータが設けられ、
前記気化処理部が、前記オーバーフロー水をドレンパンに流動させ、かつ、前記湯水冷却ラジエータからの排風を前記気化風として前記ドレンパンに向けて流動させることにより気化処理するように構成されている点にある。
【００２０】
すなわち、排ガスの熱が排熱回収熱交換器にて貯湯タンクの湯水に供給されて、貯湯タンクの湯水を加熱することができるから、貯湯タンクに貯湯された湯水を、湯張等の給湯に良好に使用することができる。
つまり、排ガスの熱にて貯湯タンクの湯水を加熱して、加熱された湯水を湯水消費箇所に供給することができる。
【００２１】
しかも、貯湯タンクから排熱回収熱交換器に供給される湯水を湯水冷却ラジエータにて冷却することができるから、貯湯タンクから排熱回収熱交換器に供給される湯水が高温の場合においても、その高温の湯水を湯水冷却ラジエータにて冷却して低温にすることができるため、排熱回収熱交換器において低温の湯水にて排ガスを適切に冷却することができる結果、凝縮水を適切に生成することができる。
【００２２】
さらに、回収タンクからのオーバーフロー水をドレンパンに流動させ、湯水冷却ラジエータからの排風を気化風としてドレンパンに向けて流動させることにより、オーバーフロー水を気化処理することができる。
このように、貯湯タンクから排熱回収熱交換器に供給される湯水を冷却するために設けた湯水冷却ラジエータを有効利用した構成にて、回収タンクからのオーバーフロー水を気化処理することができる。
【００２３】
要するに、本発明の発電システムの更なる特徴構成によれば、排ガスの熱を貯湯タンクの湯水に回収することができ、しかも、貯湯タンクから排熱回収熱交換器に供給される湯水を冷却するために設けた湯水冷却ラジエータを有効利用した構成にて、回収タンクからのオーバーフロー水を気化処理することができる。
【００２４】
本発明の発電システムの更なる特徴構成は、前記冷却ファンが、前記フィン付熱交換部を通過する冷却風を吸引により生成する吸引式冷却ファンである点にある。
【００２５】
すなわち、湯水冷却ラジエータに、冷却ファンとして、フィン付熱交換部を通過する冷却風を吸引により生成する吸引式冷却ファンを備えさせて、その吸引式冷却ファンからの排風を、気化風としてドレンパンに向けて流動させて気化処理することになる。
【００２６】
そして、冷却ファンとしての吸引式冷却ファンからの排風の風力が強いため、オーバーフロー水の気化処理を一層適切に行い易いものとなる。
【００２７】
要するに、本発明の発電システムの更なる特徴構成によれば、回収タンクからのオーバーフロー水を一層適切に気化処理することができる。
【００２８】
本発明の発電システムの更なる特徴構成は、前記気化処理部が、前記オーバーフロー水をドレンパンに流動させ、かつ、前記凝縮水回収部にて前記凝縮水が回収された後の前記排ガスを前記気化風として前記ドレンパンに向けて流動させることにより気化処理するように構成されている点にある。
【００２９】
すなわち、回収タンクからのオーバーフロー水をドレンパンに流動させ、凝縮水回収部にて凝縮水が回収された後の排ガスを気化風としてドレンパンに向けて流動させることにより、オーバーフロー水を気化処理することができる。
このように、発電部から排出される排ガスを有効利用した構成にて、回収タンクからのオーバーフロー水を気化処理することができる。
【００３０】
ちなみに、凝縮水回収部にて凝縮水が回収された後の排ガスは、凝縮水回収部にて冷却されるものの、冷却後においても高温状態となるものであるから、オーバーフロー水の気化処理を適切に行い易いものとなる。
【００３１】
要するに、本発明の発電システムの更なる特徴構成によれば、発電部から排出される排ガスを有効利用した構成にて、回収タンクからのオーバーフロー水を気化処理することができる。
【００３２】
本発明の発電システムの更なる特徴構成は、前記発電部、前記凝縮水回収部、及び、前記凝縮水搬送部を収納する筐体に、換気用吸気口及び換気用排気口が形成され、
前記筐体の内部に、当該筐体の内部の空気を吸引して前記換気用排気口を通して排出する換気用ファンが設けられ、
前記気化処理部が、前記オーバーフロー水をドレンパンに流動させ、かつ、前記換気用ファンからの排風を前記気化風として前記ドレンパンに向けて流動させることにより気化処理するように構成されている点にある。
【００３３】
すなわち、発電部、凝縮水回収部、及び、凝縮水搬送部が、筐体に収納されているから、発電部、凝縮水回収部及び凝縮水搬送部を収納した筐体を設置することにより、発電システムを良好に設置できる。
また、筐体に換気用吸気口及び換気用排気口が形成され、換気用ファンが、筐体の内部の空気を吸引して換気用排気口を通して排出するから、筐体の内部の高温化を防止し、かつ、筐体の内部にガス類が充満することを回避することができる。
【００３４】
そして、回収タンクからのオーバーフロー水をドレンパンに流動させ、換気用ファンからの排風を気化風としてドレンパンに向けて流動させることにより、オーバーフロー水を気化処理することができる。
このように、筐体の内部を換気する換気用ファンを有効利用した構成にて、回収タンクからのオーバーフロー水を気化処理することができる。
【００３５】
要するに、本発明の発電スステムの更なる特徴構成によれば、発電部、凝縮水回収部及び凝縮水搬送部を収納する筐体の内部を換気する換気用ファンを有効利用した構成にて、回収タンクからのオーバーフロー水を気化処理することができる。
【図面の簡単な説明】
【００３６】
【図１】第１実施形態の熱電併給システムの構成を示す概略図
【図２】オーバーフロー水をフィン付熱交換部に滴下する状態の斜視図
【図３】第２実施形態の熱電併給システムの構成を示す概略図
【図４】オーバーフロー水をドレンパンに滴下する状態の斜視図
【図５】排ガスをドレンパンに送風する状態の側面図
【図６】排ガスをドレンパンに送風する状態の平面図
【図７】第３実施形態の熱電併給システムの構成を示す概略図
【図８】第４実施形態の熱電併給システムの構成を示す概略図
【発明を実施するための形態】
【００３７】
〔第１実施形態〕
以下、本発明の第１実施形態を図面に基づいて説明する。
（熱電併給システムの全体構成）
図１に示すように、発電システムとしての熱電併給システムは、燃料ガスを用いて発電する発電部としての燃料電池式発電モジュールＭと、湯水を貯留する貯湯タンクＴと、燃料電池式発電モジュールＭの排熱を回収する排熱回収熱交換器Ｎ及び排熱回収熱交換器Ｎにて発生した凝縮水を回収する回収タンクＤを備える凝縮水回収部Ｑと、貯湯タンクＴと排熱回収熱交換器Ｎとの間で湯水を循環する湯水循環ポンプＪとを、筐体（ケーシング）Ｋの内部に備える形態に構成されている。
【００３８】
（燃料電池式発電モジュールの詳細）
燃料電池式発電モジュールＭは、燃料ガスを脱硫処理する脱硫器１、脱硫器１からの燃料ガスに混合する水蒸気を生成する蒸発部２、水蒸気が混合された燃料ガスを水蒸気改質して水素成分の多い改質ガスを生成する改質部３と、改質部３で生成された改質ガスが供給されるマニホールド４、当該マニホールド４より改質ガスが供給されて発電する複数の燃料電池セル５（燃料電池の一例）を有するセルスタック６と、セルスタック６からのオフガスを燃焼する燃焼部７とを備えている。
蒸発部２、改質部３、マニホールド４、セルスタック６及び燃焼部７は、高温容器８の内部に収容されている。
【００３９】
脱硫器１は、燃料ガスに含まれる硫黄成分（例えば、都市ガスが含有している付臭剤など）を除去することになり、脱硫器１には、燃料ガスが燃料ガス供給路Ｌ１を通して供給されている。
【００４０】
蒸発部２には、水蒸気改質に用いられる改質用水が改質用水供給路Ｌ２を通して供給される。改質用水供給路Ｌ２を通して蒸発部２に供給される改質用水は、回収タンクＤに貯えられている水である。
蒸発部２には、燃焼部７で発生した燃焼熱が伝達され、その熱によって改質用水の蒸発が行われ、蒸発部２の内部において、生成された水蒸気と燃料ガスガスとの混合が行われ、混合ガスが混合ガス供給路Ｌ３を通して改質部３に供給される。
【００４１】
改質部３は、燃料ガスの水蒸気改質処理を行い、水素を主成分とする改質ガスを生成する。尚、改質部３にも、燃焼部７で発生した燃焼熱が伝達され、その熱によって改質反応が促進される。
ちなみに、本実施形態では、蒸発部２及び改質部３を主要部として、燃料ガスを水蒸気改質して水素成分の多い改質ガスを生成する改質処理部が構成されている。
改質部３で生成された改質ガスが、改質ガス供給路Ｌ４を通ってマニホールド４に供給され、マニホールド４に供給された改質ガスが、複数の燃料電池セル５の夫々に分配される。
【００４２】
燃料電池セル５は、燃料極と空気極との間に固体電解質層を備えた固体酸化物形に構成されている。つまり、燃料電池セル５は、改質部３で生成された改質ガスが通流する燃料通流部（図示せず）と空気（即ち、酸化剤）が通流する空気通流部（図示せず）とを備え、燃料通流部を改質ガスが上向きに通流することで燃料極の全体に改質ガスが供給され、空気通流部を上向きに空気が通流することで空気極の全体に空気が供給され、それら改質ガス及び空気が発電反応に用いられ、発電するように構成されている。
【００４３】
セルスタック６は、複数の燃料電池セル５を電気的に直列接続した状態で備える形態に構成されている。
そして、燃料電池セル５において発電反応に供された後の排燃料ガスが、燃料通流部の上端の排出口から排出され、燃料電池セル５において発電反応に供された後の排空気が、空気通流部の上端の排出口から排出される。
【００４４】
セルスタック６の上方には、オフガス（即ち、各燃料電池セル５の燃料通流部から排出される排燃料ガスと空気通流部から排出される排空気）を燃焼させる燃焼空間が、燃焼部７として形成されている。換言すれば、セルスタック６が燃焼部７を形成する構成部材として機能する。
そして、蒸発部２及び改質部３が、燃焼部７に隣接して設けられている結果、上述の如く、燃焼部７で発生する燃焼熱によって、蒸発部２及び改質部３が加熱され、また、セルスタック６が加熱される。
【００４５】
高温容器８の内部には、給気部９を通して空気（酸素）が供給される。つまり、給気部９に、空気（外気）を供給する給気ブロア１０が接続されている。
高温容器８の内部に供給された空気（酸素）は、燃料電池セル５での発電反応に用いられ、また、燃焼部７での排燃料ガスの燃焼に用いられる。
【００４６】
また、高温容器８には、燃焼部７で発生した燃焼後の排ガスを外部に排出するための排気部１１が形成され、その排気部１１には、燃焼部７で発生した燃焼後の排ガスが流れる燃焼排ガス路Ｌ５が接続されている。
【００４７】
セルスタック６からの直流電力を交流電力に変換するインバータなどの電力変換部１２が、セルスタック６に電気的に接続された状態で設けられている。そして、電力変換部１２にて変換された交流電力が、電力線１３を介して、電力負荷装置や電力系統などに供給される。
【００４８】
（凝縮水回収部の詳細）
排熱回収熱交換器Ｎには、高温容器８から排出された排ガスが流れる燃焼排ガス路Ｌ５が接続され、また、排熱回収熱交換器Ｎには、貯湯タンクＴに接続された湯水循環路１５におけるタンク底部側に接続された往路１５Ａ及びタンク上部側に接続された復路１５Ｂが接続されている。
【００４９】
つまり、排熱回収熱交換器Ｎには、燃料電池式発電モジュールＭからの排ガスと貯湯タンクＴに貯えられている湯水とが供給されて、両者の熱交換が行われるように構成されている。
そして、排熱回収熱交換器Ｎでの熱交換により、排ガスが冷却され、排ガスに含まれている水蒸気が凝縮して水となり、その凝縮水を、回収水路Ｌ６を通して自重落下により流動させるように構成され、また、熱交換後の排ガスを、排ガス放出路Ｌ７を通して外部に放出するように構成されている。
【００５０】
また、湯水循環路１５を通して貯湯タンクＴに貯えられた湯水を循環させる湯水循環ポンプＪが、往路１５Ａに配置する状態で設けられている。
湯水循環路１５の往路１５Ａには、排熱回収熱交換器Ｎに供給される前の湯水を冷却する湯水冷却ラジエータ１６が設けられており、貯湯タンクＴに貯湯されている湯水の温度が高くなっている状態においても、湯水を冷却することにより、排熱回収熱交換器Ｎでの熱交換により、燃焼排ガスを適切に冷却できるように構成されている。
【００５１】
湯水冷却ラジエータ１６は、貯湯タンクＴから排熱回収熱交換器Ｎに供給される湯水が通流するフィン付熱交換部１６Ａ及びフィン付熱交換部１６Ａに冷却風を送風する冷却ファン１６Ｂを備える形態に構成されている。
尚、冷却ファン１６Ｂは、フィン付熱交換部１６Ａに向けて冷却風を送風する送風式に構成されている。
【００５２】
また、回収水路Ｌ６を通して流動する凝縮水を純水に精製する水精製器１７が設けられ、精製された水が改質水として回収タンクＤに回収され、そして、回収タンクＤに貯留された改質水を、改質用水供給路Ｌ２を通して蒸発部２に供給する改質水ポンプ１８（凝縮水搬送部の一例）が設けられている。
回収タンクＤには、改質水が満杯になると、貯留された改質水をオーバーフローするオーバーフロー管Ｂが接続され、オーバーフロー管Ｂからのオーバーフロー水を気化処理する気化処理部Ｆが設けられている。気化処理部Ｆの詳細は後述する。
【００５３】
（貯湯タンクについて）
貯湯タンクＴに貯湯された湯水が、タンク底部側から取出しかつタンク上部側に戻す形態で、湯水循環路１５を通して排熱回収熱交換器Ｎを経由して循環されることになり、その結果、貯湯タンクＴには、上部ほど温度が高く、下部ほど温度が低い湯水が貯えられる状態、即ち、温度成層を形成する状態で湯水が貯えられるように構成されている。
【００５４】
貯湯タンクＴの上部には給湯路１９が接続されており、その給湯路１９を通って貯湯タンクＴに貯えられている湯水が湯水消費部へと供給される。また、貯湯タンクＴの下部には、水道水等を給水する給水路２０が接続されており、湯水消費部に給湯された分の水が貯湯タンクＴへと補充される。
【００５５】
（筐体の構成について）
筐体Ｋには、外気を導入する吸気口２１、湯水冷却ラジエータ１６の冷却風を外部に放出する放出口２２、及び、排ガス放出路Ｌ７からの排ガスを外部に排出する排気口２３が形成されている。
【００５６】
給気ブロア１０に接続された給気路Ｌ８が、吸気口２１に対応して設けたエアフィルタ２４に接続されている。つまり、吸気口２１を通して導入される外気が、給気路Ｌ８を通して給気部９に供給されるように構成されている。
【００５７】
また、筐体Ｋの内部の上方箇所に、換気用ファン２５が設けられている。この換気用ファン２５は、吸気口２１を換気用吸気口として筐体Ｋの内部に導入された空気を吸引し、吸引した空気を、排気路Ｌ９を通して換気用排気口として機能する排気口２３に導いて、排気口２３を通して外部に排出するように構成されている。
【００５８】
（気化処理部について）
図１及び図２に示すように、オーバーフロー管Ｂから排出されるオーバーフロー水を受止めてフィン付熱交換部１６Ａの横幅方向に拡がる状態に流動させながらフィン付熱交換部１６Ａ上部に滴下する流下案内式の滴下部２６が設けられている。
つまり、気化処理部Ｆが、オーバーフロー水を滴下部２６よりフィン付熱交換部１６Ａに滴下して、滴下したオーバーフロー水を気化風としての冷却ファン１６Ｂの冷却風により気化処理するように構成されている。
【００５９】
したがって、オーバーフロー管Ｂから排出されるオーバーフロー水が、湯水冷却ラジエータ１６を用いて気化され、そして、気化されたオーバーフロー水を含む冷却ファン１６Ｂの冷却風が、放出口２２を通して外部に排出されるように構成されている。
【００６０】
〔第２実施形態〕
次に第２実施形態を説明するが、この第２実施形態は、気化処理部Ｆの別実施形態を例示するものであって、その他の構成は第１実施形態と同様であるので、第１実施形態と同様な構成については第１実施形態と同様な符号を付して詳細な説明を省略する。
【００６１】
図３及び図４に示すように、オーバーフロー管Ｂから排出されるオーバーフロー水を受止め回収するドレンパンＰが、排気口２３に隣接する箇所に設けられている。
そして、排ガス放出路Ｌ７からの排ガスを、ドレンパンＰに向けて送風するように構成されている。
【００６２】
つまり、気化処理部Ｆが、オーバーフロー水をドレンパンＰに流動させ、かつ、排熱回収熱交換器Ｎにて凝縮水が回収された後の排ガスを気化風としてドレンパンＰに向けて流動させることにより気化処理するように構成されている。
したがって、オーバーフロー管Ｂから排出されるオーバーフロー水が、排熱回収熱交換器Ｎにて凝縮水が回収された後の排ガスを用いて気化され、そして、気化されたオーバーフロー水を含む排ガスが、排気口２３を通して外部に排出される。
【００６３】
また、この第２実施形態では、図５及び図６に示すように、排ガス放出路Ｌ７の先端部に、排ガスをドレンパンＰの前後幅方向や横幅方向に拡散させる状態に案内する排ガス案内体２７が設けられている。
したがって、排ガス放出路Ｌ７の先端から排出される排ガスを、ドレンパンＰの全体に分散させる状態で流動させるようにして、オーバーフロー水の気化を促進させるように構成されている。
【００６４】
〔第３実施形態〕
次に第３実施形態を説明するが、この第３実施形態は、気化処理部Ｆの別実施形態を例示するものであって、その他の構成は第１実施形態と同様であるので、第１実施形態と同様な構成については第１実施形態と同様な符号を付して詳細な説明を省略する。
【００６５】
図７に示すように、この第３実施形態においては、第２実施形態と同様に、オーバーフロー管Ｂから排出されるオーバーフロー水を受止め回収するドレンパンＰが、排気口２３に隣接する箇所に設けられている。
そして、排気路Ｌ９から排出される排風を、ドレンパンＰに向けて送風するように構成されている。
【００６６】
つまり、気化処理部Ｆが、オーバーフロー水をドレンパンＰに流動させ、かつ、換気用ファン２５からの排風を気化風としてドレンパンＰに向けて流動させることにより気化処理するように構成されている。
したがって、オーバーフロー管Ｂから排出されるオーバーフロー水が、換気用ファン２５からの排風を用いて気化され、そして、気化されたオーバーフロー水を含む排ガスが、排気口２３を通して外部に排出される。
【００６７】
尚、図示は省略するが、この第３実施形態においても、第２実施形態と同様に、排気路Ｌ９の先端部に、排ガスをドレンパンＰの前後幅方向や横幅方向に拡散させる状態に案内する排ガス案内体２７を設けて、オーバーフロー水の気化を促進させるとよい。
【００６８】
〔第４実施形態〕
次に第４実施形態を説明するが、この第４実施形態は、気化処理部Ｆの別実施形態を例示するものであって、その他の構成は第１実施形態と同様であるので、第１実施形態と同様な構成については第１実施形態と同様な符号を付して詳細な説明を省略する。
【００６９】
図８に示すように、第４実施形態においては、湯水冷却ラジエータ１６が、貯湯タンクＴから排熱回収熱交換器Ｎに供給される湯水が通流するフィン付熱交換部１６Ａ及び当該フィン付熱交換部１６Ａに冷却風を送風する冷却ファンとして、当該フィン付熱交換部１６Ａを通過する冷却風を吸引により生成する吸引式冷却ファン１６Ｃを備える形態に構成されている。
また、オーバーフロー管Ｂから排出されるオーバーフロー水を受止め回収するドレンパンＰが、放出口２２に隣接する箇所に設けられている。
【００７０】
そして、湯水冷却ラジエータ１６からの排風、つまり、吸引式冷却ファン１６Ｃから排出される排風が、ドレンパンＰに向けて送風するように構成されている。
ちなみに、吸引式冷却ファン１６Ｃが、ドレンパンＰに向けて下向きに傾斜する姿勢で配置されて、排風をドレンパンＰの全体に向けて送風するように構成されている。
【００７１】
つまり、気化処理部Ｆが、オーバーフロー水をドレンパンＰに流動させ、かつ、吸引式冷却ファン１６Ｃからの排風を気化風としてドレンパンＰに向けて流動させることにより気化処理するように構成されている
したがって、オーバーフロー管Ｂから排出されるオーバーフロー水が、吸引式冷却ファン１６Ｃからの排風を用いて気化され、そして、気化されたオーバーフロー水を含む排風が、放出口２２を通して外部に排出される。
【００７２】
＜その他の別実施形態＞
以下、その他の別実施形態を列記する。
（１）上記第１〜第４実施形態では、燃料電池として、固体酸化物形に構成された燃料電池セル５を備える形態を例示したが、燃料電池として、固体高分子形の燃料電池等を備える場合にも同様に実施できる。
【００７３】
例えば、固体高分子形の燃料電池を備える場合には、改質器燃焼部からの排ガス及び空気極から排出される空気を、発電部から排出される排ガスとして、その排ガスから凝縮水を回収する形態で実施することになる。
尚、固体高分子形の燃料電池を備える場合においては、改質ガスから回収された凝縮水をも回収タンクＤに貯留する場合や、回収タンクＤに貯留された凝縮水を、燃料電池のセル加湿用の水として使用する場合もある。
【００７４】
（２）上記第１〜第４実施形態では、発電部としての燃料電池式発電モジュールＭ、凝縮水回収部Ｑに備える排熱回収熱交換器Ｎ、凝縮水搬送部としての改質水ポンプ１８、貯湯タンクＴ、及び、気化処理部Ｆを、１つの筐体Ｋの内部に収納する場合を例示したが、それらを複数に分割して異なる筐体の内部に収納する形態で実施してもよい。
【００７５】
（３）上記第１実施形態おいて、湯水冷却ラジエータ１６に、フィン付熱交換部１６Ａに向けて冷却風を送風する送風式の冷却ファン１６Ｂを備える場合を例示したが、冷却ファンとして、第４実施形態で例示した吸引式冷却ファン１６Ｃを備えさせる形態で実施してもよい。
【００７６】
（４）上記第４実施形態において、湯水冷却ラジエータ１６に、フィン付熱交換部１６Ａに通過する冷却風を吸引により生成する吸引式冷却ファン１６Ｃを備える場合を例示したが、冷却ファンとして、第１実施形態で例示したフィン付熱交換部１６Ａに向けて冷却風を送風する送風式の冷却ファン１６Ｂを備えさせる形態で実施してもよい。
【００７７】
（５）上記第１〜第４実施形態では、発電システムとしての熱電併給システムを構成する部材（送風する機器類）を有効利用して、気化処理部Ｆにおける気化風を送風する場合を例示したが、気化風を送風する専用の送風機を設ける形態で実施してもよい。
【００７８】
（６）上記第２〜第４実施形態において、ドレンパンＰを加熱するヒータを設けて、冬季等において気化風を送風するだけではオーバーフロー水を適切に気化処理することができない虞があるときには、ヒータを作動させて気化処理を促進させるようにしてもよい。
【００７９】
尚、上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８０】
２、３  改質処理部
５      燃料電池
１６    湯水冷却ラジエータ
１６Ａ  フィン付熱交換部
１６Ｂ  冷却ファン
１６Ｃ  吸引式冷却ファン
１８    凝縮水搬送部
２５    換気用ファン
Ｄ      回収タンク
Ｆ      気化処理部
Ｎ      排熱回収熱交換器
Ｍ      発電部
Ｐ      ドレンパン
Ｑ      凝縮水回収部
Ｔ      貯湯タンク
【図１】
2020119668.tif 000003
【図２】
2020119668.tif 000004
【図３】
2020119668.tif 000005
【図４】
2020119668.tif 000006
【図５】
2020119668.tif 000007
【図６】
2020119668.tif 000008
【図７】
2020119668.tif 000009
【図８】
2020119668.tif 000010